(57)【要約】【課題】  大小様々なサイズを有するワーク上に複数本の両面粘着テープを同時に且つ正確に自動貼設することができるようにする。【解決手段】  巻回されている両面粘着テープＱを装着するホルダー部１１と、ホルダー部１１から引き出した両面粘着テープＱの剥離紙面側を巻き付け案内する貼着面を設けて上下往復移動可能となるよう昇降装置４１に配設した貼着回転ドラム２１と、貼着回転ドラム２１に設けた割溝部２２に差し込んで両面粘着テープＱを切断するよう前後方向に往復移動可能な歯部３２を有するテープカット部３１と、ワークＰを載せて前後方向に往復移動可能としたスライドテーブル６とを備える。スライドテーブル６上のワークＰに、下降移動した貼着回転ドラム２１を圧接し、貼着回転ドラム２１の回転移動とスライドテーブル６の水平移動とを同期して両面粘着テープＱをワークＰ上に貼着し、切断する。【選択図】      図１
2007039177.tif 000002
【特許請求の範囲】
【請求項１】
巻回されている両面粘着テープを装着させるホルダー部と、ホルダー部から引き出された両面粘着テープの剥離紙面側を貼着して巻き付け案内可能とするよう周囲に貼着面を設け且つ上下往復移動可能となるよう昇降装置に配設された貼着回転ドラムと、貼着回転ドラムの周囲一箇所に設けた割溝部に差し込まれて両面粘着テープを切断可能とするよう前後方向に往復移動可能な歯部を有するテープカット部と、両面粘着テープを貼付すべきワークを載せて前後方向に往復移動可能としたスライドテーブルとを備え、スライドテーブル上に載せたワーク上に、昇降装置によって下降移動された貼着回転ドラムを圧接し、該貼着回転ドラムの回転移動とスライドテーブルの水平移動とを同期させ、また、スライドテーブルの一時的な移動停止及び貼着回転ドラムの一時的な回転停止時にテープカット部にて両面粘着テープを切断して両面粘着テープをワーク上に貼着するようにしたことを特徴とする両面粘着テープ自動貼設装置。
【請求項２】
ホルダー部、貼着回転ドラム、テープカット部それぞれは、スライドテーブル上にあるワーク上の複数の両面粘着テープ貼着部に対応して、前記昇降装置に複数にして配設されている請求項１記載の両面粘着テープ自動貼設装置。
【請求項３】
貼着回転ドラムは、昇降装置に脱着用フランジ、固定用フランジを介して着脱自在に固定される回転軸に、該回転軸に設けたキー溝に沿って着脱可能に所定間隔で複数にして取付けられている請求項１または２記載の両面粘着テープ自動貼設装置。
【請求項４】
両面粘着テープは、スライドテーブル上方で配された支持軸に取り付けられたホルダー部によって支持されており、該ホルダー部は円板状のテープ受け板と、テープ受け板の側面中央に設けたテープ脱着部とから成り、テープ脱着部は互いに対向配置させた半円状を呈する一対の保持用ブラケット同士がスプリングによって互いに離反する方向に付勢させた状態でテープ受け板の側面中央に付設されている請求項１乃至３のいずれか記載の両面粘着テープ自動貼設装置。
【請求項５】
巻回されている両面粘着テープを装着したホルダー部から引き出された両面粘着テープの剥離紙面側を貼着回転ドラムの割溝部位置から貼着して巻き付け案内する工程と、スライドテーブル上に載せたワーク上に割溝部が対向する位置で貼着回転ドラムの回転を一時的に停止させ、昇降装置により当該貼着回転ドラムを下降させてワーク上に圧接させる工程と、下降した貼着回転ドラムの回転移動とスライドテーブルの水平移動とを同期させて両面粘着テープをワーク上に貼着する工程と、さらにホルダー部から引き出された両面粘着テープの剥離紙面側を貼着した状態で貼着回転ドラムが回転して割溝部がテープカット部に対向する位置まできたときに貼着回転ドラムの回転、スライドテーブルの移動を一時的に停止させて当該割溝部に歯部が差し込まれて両面粘着テープを切断する工程と、割溝部から歯部が後方側へ退避し、スライドテーブルの再移動と同期して貼着回転ドラムを再回転させて、割溝部がスライドテーブル上のワークに対向する位置まで回転したときに昇降装置により当該貼着回転ドラムを上昇させる工程とから成ることを特徴とした両面粘着テープ自動貼設方法。
【発明の詳細な説明】
【技術分野】
【０００１】
本発明は、例えば印刷後の銘板、シートアンテナ、ゲームスロットルマシーンの回転部におけるリールドラム等の大小自由なサイズを有するワーク上に複数本の両面粘着テープを並列状にして同時に貼設するための両面粘着テープ自動貼設装置と両面粘着テープ自動貼設方法に関するものである。
【背景技術】
【０００２】
従来から、例えば紙、ガラス板、アクリル板、塩化ビニール板、ステンレス板、ＳＵＳ板、ＳＳ板、レキサンフィルム等の各種の部材（ワーク）の平滑な表面に、他の適当なプレート等の平板材例えば銘板等を貼り付けるに際し使用される両面粘着テープは、手貼りによってワーク面に例えば並列状に複数にして貼設していた。
【特許文献１】特になし
【発明の開示】
【発明が解決しようとする課題】
【０００３】
しかしながら、紙、ガラス板、アクリル板、塩化ビニール板、ステンレス板、ＳＵＳ板、ＳＳ板、レキサンフィルム等の平滑な表面に限らず、例えば印刷後の銘板、シートアンテナ、ゲームスロットルマシーンの回転部、リールドラム等の大小自由なサイズを有するワーク上に複数の両面粘着テープを手貼りによって一括して貼設するのには、かなりの労働力と精密さとが要求されるのであった。
【０００４】
そこで、本発明は叙上のような従来存した諸事情に鑑み創出されたもので、平坦面を有するワーク上に複数本の両面粘着テープを同時に且つ正確に並列状にして自動貼設することができ、また、両面粘着テープを一旦は一巻き状にして巻回支持する貼着回転ドラム径の変更・交換によって大小に異なるサイズのワーク上に長短を異ならしめて両面貼着テープを貼着できる両面粘着テープ自動貼設装置と両面粘着テープ自動貼設方法を提供することを目的とする。
【課題を解決するための手段】
【０００５】
上述した課題を解決するため、本発明に係る両面粘着テープ自動貼設装置にあっては、巻回されている両面粘着テープＱを装着させるホルダー部１１と、ホルダー部１１から引き出された両面粘着テープＱの剥離紙面側を貼着して巻き付け案内可能とするよう周囲に貼着面を設け且つ上下往復移動可能となるよう昇降装置４１に配設された貼着回転ドラム２１と、貼着回転ドラム２１の周囲一箇所に設けた割溝部２２に差し込まれて両面粘着テープＱを切断可能とするよう前後方向に往復移動可能な歯部３２を有するテープカット部３１と、両面粘着テープＱを貼設すべきワークＰを載せて前後方向に往復移動可能としたスライドテーブル６とを備え、スライドテーブル６上に載せたワークＰ上に、昇降装置４１によって下降移動された貼着回転ドラム２１を圧接し、該貼着回転ドラム２１の回転移動とスライドテーブル６の水平移動とを同期させ、また、スライドテーブル６の一時的な移動停止及び貼着回転ドラム２１の一時的な回転停止時にテープカット部３１にて両面粘着テープＱを切断して両面粘着テープＱをワークＰ上に貼着するようにすることで構成されたものである。
ホルダー部１１、貼着回転ドラム２１、テープカット部３１それぞれは、スライドテーブル６上にあるワークＰ上の複数の両面粘着テープＱ貼着部に対応して、前記昇降装置４１に複数にして配設されているものとできる。
貼着回転ドラム２１は、昇降装置４１に脱着用フランジ４８、固定用フランジ４９を介して着脱自在に固定される回転軸４７に、該回転軸４７に設けたキー溝４７Ａに沿って着脱可能に所定間隔で複数にして取付けられているものとできる。。
両面粘着テープＱは、スライドテーブル６上方で配された支持軸１４に取り付けられたホルダー部１１によって支持されており、該ホルダー部１１は円板状のテープ受け板１５と、テープ受け板１５の側面中央に設けたテープ脱着部１６とから成り、テープ脱着部１６は互いに対向配置させた半円状を呈する一対の保持用ブラケット１７同士がスプリング１８によって互いに離反する方向に付勢させた状態でテープ受け板１５の側面中央に付設されているものとできる。
また、本発明に係る両面粘着テープ自動貼設方法にあっては、巻回されている両面粘着テープＱを装着したホルダー部１１から引き出された両面粘着テープＱの剥離紙面側を貼着回転ドラム２１の割溝部２２位置から貼着して巻き付け案内する工程と、スライドテーブル６上に載せたワークＰ上に割溝部２２が対向する位置で貼着回転ドラム２１の回転を一時的に停止させ、昇降装置４１により当該貼着回転ドラム２１を下降させてワークＰ上に圧接させる工程と、下降した貼着回転ドラム２１の回転移動とスライドテーブル６の水平移動とを同期させて両面粘着テープＱをワークＰ上に貼着する工程と、さらにホルダー部１１から引き出された両面粘着テープＱの剥離紙面側を貼着した状態で貼着回転ドラム２１が回転して割溝部２２がテープカット部３１に対向する位置まできたときに貼着回転ドラム２１の回転、スライドテーブル６の移動を一時的に停止させて当該割溝部２２に歯部３２が差し込まれて両面粘着テープＱを切断する工程と、割溝部２２から歯部３２が後方側へ退避し、スライドテーブル６の再移動と同期して貼着回転ドラム２１を再回転させて、割溝部２２がスライドテーブル６上のワークＰに対向する位置まで回転したときに昇降装置４１により当該貼着回転ドラム２１を上昇させる工程とから成るものである。
【０００６】
以上のように構成された本発明に係る両面粘着テープ自動貼設装置と両面粘着テープ自動貼設方法にあって、貼着回転ドラム２１は、両面粘着テープＱの剥離紙面側を貼着して巻き付け案内してホルダー部１１から引き出させてスライドテーブル６上に案内し、昇降装置４１によって下降移動された当該貼着回転ドラム２１をスライドテーブル６上のワークＰに圧接させ、該貼着回転ドラム２１の回転移動とスライドテーブル６の水平移動とを同期させることで両面粘着テープＱをワークＰ上に貼着させる。
このとき、両面貼着テープＱを一巻き状に巻回して一時的に保持する貼着回転ドラム２１は、その外径、周囲長さの長短によってワークＰに貼着させる両面貼着テープＱの長さを設定させる。
一時的に移動停止したスライドテーブル６上のワークＰ面に貼付することで、貼着回転ドラム２１とワークＰメントの間で両面粘着テープＱの緊張状態を継持して同じく一時的に回転停止した貼着回転ドラム２１に対し、テープカット部３１は、貼着回転ドラム２１の割溝部２２に歯部３２が差し込まれることで両面粘着テープＱを切断させる。
昇降装置４１に複数にして配設されているホルダー部１１、貼着回転ドラム２１、テープカット部３１それぞれは、ワークＰ上に複数本の両面粘着テープＱを並列状に同時に貼設させる。
貼着回転ドラム２１は昇降装置４１に着脱自在に固定することで、ワークＰに対する両面粘着テープＱ自体の幅員等の選定、相互の間隔の調整等を両面粘着テープＱの選択と共にこれに対応させる。
両面粘着テープＱを保持するホルダー部１１のテープ脱着部１６における保持用ブラケット１７は、スプリング１８の弾揆付勢で両面粘着テープＱを簡単に脱着させ、ワークＰに対応した各種の両面粘着テープＱの選択使用にも交換対応でき、また、消費した後の新しい両面粘着テープＱとの交換を迅速にさせる。
【発明の効果】
【０００７】
本発明は以上説明したように構成されており、これによれば、平坦面を有するワークＰ上に複数本の両面粘着テープＱを引き出して同時に且つ正確に並列状にして自動貼設することができ、また、両面粘着テープＱを一旦は一巻き状にして巻回支持する貼着回転ドラム２１径の変更・交換によって大小に異なるサイズのワークＰ上に長短を異ならしめて両面貼着テープＱを自動貼設することができる。
【０００８】
すなわち、これは本発明に係る両面粘着テープ自動貼設装置が、スライドテーブル６上に載せたワークＰ上に、昇降装置４１によって下降移動され、両面粘着テープＱを一巻き状にして一時的に巻回支持した貼着回転ドラム２１を圧接し、該貼着回転ドラム２１の回転移動とスライドテーブル６の水平移動とを同期させて両面粘着テープＱをワークＰ上に貼着するものとしたからであり、これによって、従来の手貼りによらずにワークＰ上に両面粘着テープＱを正確且つ迅速に貼着することができる両面粘着テープ自動貼設装置を容易に形成することができる。
【０００９】
また、ホルダー部１１、貼着回転ドラム２１、テープカット部３１それぞれは、スライドテーブル６上にあるワークＰ上の複数の両面粘着テープＱの貼着部分に対応して、前記昇降装置４１に複数が配設されているので、ワークＰ上に複数の両面粘着テープＱを同時に且つ正確に貼着することができる。
【００１０】
貼着回転ドラム２１は、昇降装置４１に脱着用フランジ４８、固定用フランジ４９を介して着脱自在に固定される回転軸４７に、該回転軸４７に設けたキー溝４７Ａに沿って着脱可能に、所定間隔で複数にして取付けられているから、ワークＰが各種に異なることで両面粘着テープＱ自体の幅員、並列間隔その他が異なっていても両面粘着テープＱの選択と共にこれに対応できる。すなわち、この貼着回転ドラム２１自体がその周面の一回転長さで両面貼着テープＱを一時的に保持するから、ワークＰに貼着すべき両面貼着テープＱの長さに対応して貼着回転ドラム２１自体の外径の大小・周囲長さを選定すればよく、これらに迅速に対応でき、しかも、汎用性ある両面粘着テープ自動貼設装置として使用することができる。
【００１１】
両面粘着テープＱは支持軸１４に取り付けられたホルダー部１１のテープ脱着部１６における保持用ブラケット１７に弾揆的に付勢された状態で支持されるから、消費後では新しいロール状の両面粘着テープＱに簡単迅速に交換できるばかりでなく、幅員、材質その他が異なる別の両面粘着テープＱの選択交換も容易である。
【００１２】
また、本発明に係る両面粘着テープ自動貼設方法が、巻回されている両面粘着テープＱを装着したホルダー部１１から引き出された両面粘着テープＱの剥離紙面側を貼着回転ドラム２１の割溝部２２位置から貼着して巻き付け案内する工程と、スライドテーブル６上に載せたワークＰ上に割溝部２２が対向する位置で貼着回転ドラム２１の回転を一時的に停止させ、下降している昇降装置４１により当該貼着回転ドラム２１を下降させてワークＰ上に圧接させる工程と、貼着回転ドラム２１の回転移動とスライドテーブル６の水平移動とを同期させて両面粘着テープＱをワークＰ上に貼着する工程と、さらにホルダー部１１から引き出された両面粘着テープＱの剥離紙面側を貼着した状態で貼着回転ドラム２１が回転して割溝部２２がテープカット部３１に対向する位置まできたときに貼着回転ドラム２１の回転、スライドテーブル６の移動を一時的に停止させて当該割溝部２２に歯部３２が差し込まれて両面粘着テープＱを切断する工程と、割溝部２２から歯部３２が後方側へ退避し、スライドテーブル６の再移動と同期して貼着回転ドラム２１を再回転させて、割溝部２２がスライドテーブル６上のワークＰに対向する位置まで回転したときに昇降装置４１により当該貼着回転ドラム２１を上昇させる工程とから成るので、ワークＰ上に複数の両面粘着テープＱを同時に且つ正確に貼着することができる。
【００１３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１４】
以下、図面を参照して本発明を実施するための最良の一形態を説明すると、図において示される符号１は、ワークＰ上に複数本の両面粘着テープＱを並列状に同時に貼設するための両面粘着テープ自動貼設装置を構成する装置本体である。該装置本体１は、図１、図３に示すように、下面側周縁に複数のキャスター２Ａおよび高さ調整自在な脚部２Ｂを配した矩形状の上面を有する台座２と、該台座２上で立設された４本の支柱３によって支持された架台４を備えている。尚、両面粘着テープＱ自体は、ドーナツ状に形成されている筒芯部周囲に、表裏両面に粘着面が形成されている所定幅員の長尺帯状のテープ体を複数回で巻回していると共に、巻回時にあるときのテープ体の外表面側に剥離可能な剥離紙が貼設されて成るもので、一般的に市販されているものが使用される予定となっている。もとより、テープ体幅員、筒芯部の径、巻回長さ等は、ワークＰに対応して適宜に選定されてセットされるものとなっているのは、勿論である。
【００１５】
台座２上には、前記架台４の下側で潜るように当該台座２の長手方向に沿って配したレール５の上をスライド機構（図示せず）によって往復移動可能としたスライドテーブル６を備え、該スライドテーブル６の上に、例えば紙、ガラス板、アクリル板、塩化ビニール板、ステンレス板、ＳＵＳ板、ＳＳ板、レキサンフィルム等の平板状のワークＰが載せられるようにしてある。また、架台４に配した左右一対における支柱３には、水平移動するスライドテーブル６の左右両側における上面を圧接保持するためのテーブル圧ローラ７が取り付けられている。
【００１６】
また、架台４には、例えばシリンダーピストン機構による昇降装置４１が設けられ、この昇降装置４１によって、後述するホルダー部１１、貼着回転ドラム２１、テープカット部３１それぞれを備えた上下側の両移動基台４２Ａ，４２Ｂが上下方向に昇降するように往復移動可能となるようにしてある。また、ホルダー部１１、貼着回転ドラム２１、テープカット部３１それぞれは、スライドテーブル６上にあるワークＰ上の複数の両面粘着テープＱの貼着部分に対応して、当該昇降装置４１に複数にして配設されている。
【００１７】
すなわち、昇降装置４１は、図３、図４に示すように、架台４上方に配した上側移動基台４２Ａの下面中央の前後一対箇所には昇降用のピストンロッド４３を垂下させ、上側移動基台４２Ａの下面四隅にはガイドロッド４５を垂下させてある。そして、上側移動基台４２Ａのピストンロッド４３に対向して架台４上面側には、昇降用のシリンダー４４が立設され、該シリンダー４４に対しピストンロッド４３が延出乃至退避可能となるように嵌挿されている。また、上側移動基台４２Ａのガイドロッド４５は架台４をスライド自在に貫通してから下側移動基台４２Ｂに連結されている。
【００１８】
下側移動基台４２Ｂの下面側中央には、図４、図７に示すように、左右一対の板状の支持部４６を介して、長手方向に沿ってキー溝４７Ａを備えた回転軸４７が回転可能となるように枢着され、該回転軸４７の一端側には脱着用フランジ４８、固定用フランジ４９それぞれを介して、下側移動基台４２Ｂの一端側に固定配置されている回転駆動源５０に連結されている。この回転軸４７には、キー溝４７Ａに沿って好ましくは等間隔毎に、両面貼着テープＱがセットされる複数の貼着回転ドラム２１が装着されてネジ等によって着脱可能に取り付けられるようにしてある。また、これらの複数の貼着回転ドラム２１それぞれは、採用される両面粘着テープＱの幅員、長さ等に対応して任意の厚み幅、所定の外周長さを有する径のものと適宜交換できるようにしてある。さらに、この回転軸４７には、互いに厚み幅の異なる複数の貼着回転ドラム２１を装着することで、ワークＰ上面に互いに幅員の異なる複数の両面粘着テープＱが同時に貼着できるようにしても良い。
【００１９】
また、回転軸４７自体は、図４に示すように固定用フランジ４９に対する脱着用フランジ４８の例えばネジ止め部位の取り外し、取り付け、及び一方の支持部４６に対するスライド等によって着脱されるようになっている。この回転軸４７自体の取り外しによって、回転軸４７に取り付けられている貼着回転ドラム２１自体を変更・交換でき、ワークＰの大小等によって貼着すべき両面貼着テープＱの長さの長短、幅員の広狭等がある場合、貼着回転ドラム２１径に大小あるいは幅員に広狭等があるものを予め用意しておいて、これらを交換することで所定の必要とする貼着長さ、幅員等に対応できるようにしてある。
【００２０】
貼着回転ドラム２１の周面には、両面粘着テープＱを巻き付け案内するための粘着剤による貼着面が形成されている。この貼着面は例えば貼着回転ドラム２１における一巻き時の外周長さに相当して引き出された両面粘着テープＱが切断されることで用意された、該切断帯片状の両面粘着テープＱの剥離紙面側を貼着保持することで、外表面側に両面粘着テープＱの粘着剤層が位置されるようにして形成されるものとしてある。また、貼着回転ドラム２１の周囲一箇所にはスリット状の割溝部２２が設けられ、この割溝部２２内に、後述するテープカット部３１の歯部（カッター）３２が差し込まれて両面粘着テープＱを切断可能とするようにしてある。尚、貼着回転ドラム２１の貼着面自体は、両面粘着テープＱの貼着面がワークＰに貼着された際に、貼着面から剥離紙面が容易に離脱できる程度の粘着力を有するように設定されている。
【００２１】
こうして、貼着回転ドラム２１は、昇降装置４１による下側移動基台４２Ｂの下降移動によってスライドテーブル６上のワークＰ上面に圧接配置され、この圧接配置状態のままで該貼着回転ドラム２１の回転移動とスライドテーブル６の水平移動とを同期させることによって両面粘着テープＱをワークＰ上に貼着する。一方、スライドテーブル６の水平移動及び貼着回転ドラム２１の回転移動を一時的に停止させたときにテープカット部３１の歯部３２による両面粘着テープＱの切断するようにし、その後、昇降装置４１による下側移動基台４２Ｂの上昇移動によってスライドテーブル６上のワークＰ上面から貼着回転ドラム２１が離反して上方位置に退避されるものとしてある。
【００２２】
また、昇降装置４１による貼着回転ドラム２１の上昇退避と共にスライドテーブル６が再度移動し、ワークＰに対しての未貼着の両面粘着テープＱ部分を貼着回転ドラム２１から引き剥がしながら、ワークＰ上に貼着するものとしてある。その後、両面粘着テープＱが貼着処理されたワークＰは、台座２の前方でスライドテーブル６から取り外されるか、あるいは後退走行して台座２後方の原位置に復帰したときにスライドテーブル６から取り外されるかし、台座２後方の原位置にて処理すべき新しいワークＰが再度セットされ、次動作に備えるようになっている。
【００２３】
下側移動基台４２Ｂの回転駆動源５０の近傍には、貼着回転ドラム２１の原点位置出しを行なうためのドラム位置感知センサー５１を備え、このセンサー５１に対向する下側移動基台４２Ｂの反対側には後述するテープカット部３１の歯部３２の位置を感知するためのカッター位置感知センサー５２を備えている。
【００２４】
さらに、下側移動基台４２Ｂには、当該下側移動基台４２Ｂから下方に突出した固定板５３Ａに枢着されたテープガイド用コロ５３と、当該下側移動基台４２Ｂに対し揺動可能なハネ上げ板５４Ａに枢着されたテープ押付用コロ５４とを隣接配置させ、両コロ５３，５４を貼着回転ドラム２１の周側面に圧接保持させるようにしてある。これら両コロ５３，５４は、一端側にフランジを有するカラー部材によって形成されており、このフランジによって貼着回転ドラム２１の周縁部を両側から挟み込むように配置される。
【００２５】
図５、図６、図７に示すように、下側移動基台４２Ｂ中央の貼着回転ドラム２１位置に比し前方側に位置する当該下側移動基台４２Ｂの一端側には、左右一対に延出形成された水平アーム１２の先端側に着脱可能となるように装着された左右一対の垂直アーム１３の間に保持されるようにした支持軸１４が配され、この支持軸１４には等間隔毎にカラーを介して、巻回されているドラム状の両面粘着テープＱを装着させるための円板状の複数のホルダー部１１が取り付けられている。このときホルダー部１１は、昇降装置４１による下側移動基台４２Ｂの下降移動によってスライドテーブル６上のワークＰ上面に貼着回転ドラム２１が圧接された状態となっても、当該ホルダー部１１がスライドテーブル６上のワークＰ上面に接触しない程度の高さを維持できるように垂直アーム１３の長さを短くしてある。尚、ホルダー部１１による粘着両面テープＱの支持は、貼着回転ドラム２１に対して粘着両面テープＱが円滑に引き出されるように、後述のテープ受け板１５を例えばフリーで回転させるようにしてあることが望ましい。
【００２６】
ホルダー部１１は、円板状のテープ受け板１５と、テープ受け板１５の側面中央に設けたテープ脱着部１６とから成り、このテープ脱着部１６は、互いに対向配置させた半円状を呈する一対の保持用ブラケット１７同士がスプリング１８によって互いに離反する方向に付勢させた状態でテープ受け板１５の側面中央に付設されている。ホルダー部１１に両面粘着テープＱを装着するに際し、この保持用ブラケット１７同士をスプリング１８の拡圧弾性力に抗して互いに圧縮しながら両面粘着テープＱの中央孔部を嵌め込み、保持用ブラケット１７を解放することによって両面粘着テープＱを中央孔部の内側から保持させるようにしてある。
【００２７】
テープカット部３１は、中央の貼着回転ドラム２１位置に比し後方側に位置し、また下側移動基台４２Ｂの他端側において前後方向に往復移動可能となるようにして配置されており、テープカット部３１の先端に設けた歯部３２を、貼着回転ドラム２１の周囲一箇所に設けた前記割溝部２２に差し込ませることによって両面粘着テープＱを切断するようにしてある。
【００２８】
尚、図中符号９は台座２上に設けられた操作パネルであり、作動開始、停止その他の操作を設定し、制御するものである。
【００２９】
次に、以上のように構成された最良の形態についての使用、動作の一例について説明すると、先ず、装置本体１のホルダー部１１に予じめ巻回されている両面粘着テープＱを装着する。このとき、保持用ブラケット１７同士をスプリング１８の拡圧弾性力に抗して手指で互いに圧縮しながら両面粘着テープＱにおける巻芯の中央孔部を嵌め込み、保持用ブラケット１７から手指を解放することによって両面粘着テープＱを筒芯部における中央孔部の内側から保持する。そして、ホルダー部１１から両面粘着テープＱの一端を引き出してから、テープガイド用コロ５３、テープ押付用コロ５４を介して、貼着回転ドラム２１の周面の割溝部２２位置に両面粘着テープＱの剥離紙面側を貼着しておく。
【００３０】
回転駆動源５０を作動して貼着回転ドラム２１を回転させると、図７に示すように、ホルダー部１１から引き出された両面粘着テープＱの剥離紙面側が貼着回転ドラム２１の割溝部２２位置から巻き付け案内し、スライドテーブル６上に載せたワークＰ上に割溝部２２が対向する位置となった一巻き後に、回転駆動源５０が自動的に停止して貼着回転ドラム２１の回転が停止する。
【００３１】
そして、図８に示すように、昇降装置４１により貼着回転ドラム２１が下降移動してスライドテーブル６上のワークＰ上面に圧接し、その圧接後に再び回転駆動源５０が作動して貼着回転ドラム２１が回転移動する。これに連動してスライドテーブル６がスライド機構によって水平移動するものとなり、貼着回転ドラム２１の回転動作とスライドテーブル６のスライド動作とが同期して作動することで両面粘着テープＱをワークＰ上に貼着して行くものとなる。
【００３２】
こうしてワークＰ上にスライド方向に沿って両面粘着テープＱの貼着面側が貼着されて行き、図９に示すように、ワークＰが終端部の手前にさしかかって割溝部２２がテープカット部３１に対向する位置まできたときに、スライドテーブル６の水平移動、貼着回転ドラム２１の回転移動が同時に一時的に停止する。すると、テープカット部３１が貼着回転ドラム２１側に前進移動して当該割溝部２２に歯部３２が差し込まれ、両面粘着テープＱを切断する。
【００３３】
切断後、図１０に示すように、割溝部２２から歯部３２がテープカット部３１と共に後方側へ退避してから再び回転駆動源５０およびスライド機構が作動して貼着回転ドラム２１が回転し、また、スライドテーブル６が同期して移動し、所定の貼着長さ分における残りの両面粘着テープＱが貼着回転ドラム２１から引き剥がされながらワークＰ上に貼着されるのである。
【００３４】
そして、貼着回転ドラム２１が略９０度回転してスライドテーブル６上のワークＰに割溝部２２が対向する位置にきたときには、図１１に示すように、回転駆動源５０によって自動的に貼着回転ドラム２１の回転が停止し、同時に昇降装置４１により当該貼着回転ドラム２１が上昇移動する。こうして、ワークＰ上に複数の両面粘着テープＱが正確に隣列した状態で貼着されるのである。そして、スライドテーブル６はスライド機構によって後方側へ移動し次の貼設作業に備えるべく待機するから、新しいワークＰを取り換える。
【図面の簡単な説明】
【００３５】
【図１】本発明を実施するための最良の形態を示す側面図である。
【図２】同じく平面図である。
【図３】同じく正面図である。
【図４】同じく拡大された一部切欠正面図である。
【図５】同じく拡大された一部切欠平面図である。
【図６】同じく回転ドラムの拡大された一部切欠平面図である。
【図７】貼設動作においてホルダー部から貼着回転ドラムに両面粘着テープの剥離紙側を貼着して巻き付け案内する状態を示す拡大された一部切欠側面図である。
【図８】貼設動作において貼着回転ドラムを下降させてワーク上に圧接し、該貼着回転ドラムの回転移動とスライドテーブルの水平移動とを同期させて両面粘着テープをワーク上に貼着する状態を示す拡大された一部切欠側面図である。
【図９】貼設動作においてテープカット部によって貼着回転ドラムの割溝部に歯部が差し込まれて両面粘着テープを切断した状態を示す拡大された一部切欠側面図である。
【図１０】貼設動作において切断後に残りの両面粘着テープをワーク上に貼着する状態を示す拡大された一部切欠側面図である。
【図１１】貼設動作においてワーク上への両面粘着テープ貼着完了後に貼着回転ドラムを上昇退避させた状態を示す拡大された一部切欠側面図である。
【符号の説明】
【００３６】
Ｐ…ワーク                              Ｑ…両面粘着テープ
１…装置本体                            ２…台座
２Ａ…キャスター                        ２Ｂ…脚部
３…支柱                                ４…架台
５…レール                              ６…スライドテーブル
７…テーブル圧ローラ                    ９…操作パネル
１１…ホルダー部                        １２…水平アーム
１３…垂直アーム                        １４…支持軸
１５…テープ受け板                      １６…テープ脱着部
１７…保持用ブラケット                  １８…スプリング
２１…貼着回転ドラム                    ２２…割溝部
３１…テープカット部                    ３２…歯部
４１…昇降装置                          ４２Ａ…上側移動基台
４２Ｂ…上側移動基台                    ４３…ピストンロッド
４４…シリンダー                        ４５…ガイドロッド
４６…支持部                            ４７…回転軸
４７Ａ…キー溝                          ４８…脱着用フランジ
４９…固定用フランジ
５０…回転駆動源                        ５１…ドラム位置感知センサー
５２…カッター位置感知センサー          ５３…テープガイド用コロ
５３Ａ…固定板                          ５４…テープ押付用コロ
５４Ａ…ハネ上げ板
【図１】
2007039177.tif 000003
【図２】
2007039177.tif 000004
【図３】
2007039177.tif 000005
【図４】
2007039177.tif 000006
【図５】
2007039177.tif 000007
【図６】
2007039177.tif 000008
【図７】
2007039177.tif 000009
【図８】
2007039177.tif 000010
【図９】
2007039177.tif 000011
【図１０】
2007039177.tif 000012
【図１１】
2007039177.tif 000013